(57)【要約】【課題】  たこ焼きを食べる際に好適で、爪楊枝の端部が折れにくく、かつ、折れた場合でも再利用が可能な爪楊枝保持具を提供することを目的とし、たこ焼きの新しい食べ方を提案することにより大阪等の食文化の発展を目指すものである。【解決手段】  ゴム硬度５０〜７０の合成樹脂からなる本体１０と、爪楊枝を挿入するための複数の貫通孔１１とを備え、貫通孔１１は本体１０を上下方向に貫通しており、少なくとも本体１０の上部は扁平形状となっている。【選択図】図１
2011030765.tif 000002
【特許請求の範囲】
【請求項１】
ゴム硬度５０〜７０の合成樹脂からなる本体部と、
爪楊枝を挿入するための複数の孔とを備え、
前記孔が前記本体部を上下方向に貫通する
ことを特徴とする爪楊枝保持具。
【請求項２】
前記本体部の上部は、扁平形状である
ことを特徴とする請求項１記載の爪楊枝保持具。
【請求項３】
前記本体部は、
その内部に調味料を充填するための空洞部と、
前記空洞部に充填された調味料の出口となる噴出口とを備える
ことを特徴とする請求項１又は２記載の爪楊枝保持具。
【請求項４】
前記本体部は、
その下部に下方へ突出するクリップ部を備える
ことを特徴とする請求項１〜３のいずれか１項に記載の爪楊枝保持具。
【発明の詳細な説明】
【技術分野】
【０００１】
本発明は、爪楊枝を使用して食す料理、特にたこ焼きを食べるのに適した爪楊枝保持具に関する。
【背景技術】
【０００２】
露店や飲食店でたこ焼きを提供する際には、たこ焼きを食べるための道具として爪楊枝が添付されるのが一般的である。庶民的な食べ物としてたこ焼きが広く普及している大阪等の地域においても、舟形のスチロール容器などにたこ焼きを載せて、たこ焼きに複数本の爪楊枝を刺して提供する店が多い。複数本の爪楊枝が用意されているにもかかわらず、爪楊枝を一本だけ使ってたこ焼きを食べることがほとんどであるが、たこ焼きのような内部が柔らかく、かつ、球形の食べ物の場合、爪楊枝を突き刺しても支持力が弱いために、食べ物を口に運ぶ際に１本だけでは食べ物が脱落してしまう等、食べにくさの問題がある。このような問題を解消するものとして、例えば、特許文献１の爪楊枝保持器がある。この爪楊枝保持器は、弾性を有する合成樹脂から成り、１対のテーパー状に開かれた孔の爪楊枝保持部を有し、孔に爪楊枝の背部を挿入し固定して使用するというものである。
【先行技術文献】
【特許文献】
【０００３】
【特許文献１】特開２００５−２０４８９４号公報
【発明の概要】
【発明が解決しようとする課題】
【０００４】
しかしながら、上記特許文献１の爪楊枝保持器では、孔に挿入した爪楊枝の端が折れると取り出すことができなくなるおそれがある。つまり、爪楊枝の端が折れてしまうと、爪楊枝保持器を再利用することはできなくなり、爪楊枝とともに廃棄しなければならない。これは、特に端部が折れやすい爪楊枝においては致命的な問題となりうる。
【０００５】
また、上記特許文献１の爪楊枝保持器は、たこ焼き特有の食べにくさについて考慮して提案されたものではなく、新たなたこ焼きの食べ方を提言するという社会的なムーブメントを引き起こすものではない。
【０００６】
そこで、本発明は、上記問題に鑑みなされたものであり、爪楊枝の端部が折れにくく、かつ、折れた場合でも再利用が可能な爪楊枝保持具を提供することを目的とするもので、たこ焼きの新しい食べ方を提案し、たこ焼き、ひいては大阪等の食文化の発展を図らんとするものである。
【課題を解決するための手段】
【０００７】
上記の課題を解決するため、本発明に係る爪楊枝保持具は、ゴム硬度５０〜７０の合成樹脂からなる本体部と、爪楊枝を挿入するための複数の孔とを備え、前記孔が前記本体部を上下方向に貫通することを特徴とする。
【０００８】
これによれば、親指と人差し指とで把持される部分が適度な硬さの合成樹脂となるので、孔へ挿入した爪楊枝が折れにくくなり、また、孔が本体を上下方向に貫通するので、挿入した爪楊枝の端部が折れた場合でも再利用が可能な爪楊枝保持具を実現することができる。そして、少なくとも２本の爪楊枝を球形のたこ焼きに突き刺すことにより、たこ焼きを確実に保持して食べるという画期的なたこ焼きの食べ方を提案するものでもある。
【０００９】
ここで、前記本体部の上部は、扁平形状であるとするのが好ましく、これにより、親指と人差し指とで把持しやすい爪楊枝保持具が実現可能となる。
【００１０】
また、前記本体部は、その内部に調味料を充填するための空洞部と、前記空洞部に充填された調味料の出口となる噴出口とを備えるとしてもよい。
【００１１】
これにより、追加の調味料、例えばソースを別の調味料容器に入れて提供する必要がなくなり、利便性に優れた爪楊枝保持具となる。
【００１２】
さらに、前記本体部は、その下部に下方へ突出するクリップ部を備えるとしてもよい。
【００１３】
これにより、クリップ部がたこ焼き用の容器に取り付けるためや、食後の口内清掃具として機能するので、たこ焼きの提供時や食後においても便利な爪楊枝保持具とすることができる。
【発明の効果】
【００１４】
このように、本発明に係る爪楊枝保持具によれば、本体部分が適度な硬さの合成樹脂で、爪楊枝を挿入するための孔が本体部分を貫通しているので、孔へ挿入した爪楊枝が折れにくくすることができ、挿入した爪楊枝の端部が折れても再利用可能な爪楊枝保持具が実現される。また、球形のたこ焼きを確実に捉えて口に運ぶには２本の爪楊枝で突き刺すことが必要であり、これをたこ焼きの本来の食べ方として広めていくにあたって、本発明は重要なツールであり、たこ焼き、ひいては大阪等の食文化の発展に寄与する可能性を秘めたものということができる。
【図面の簡単な説明】
【００１５】
【図１】第１の実施の形態に係る爪楊枝保持具の外観を示す斜視図である。
【図２】（ａ）は第１の実施の形態に係る爪楊枝保持具の正面図、（ｂ）はその側面図、（ｃ）は（ａ）のＡ−Ａ線における断面図、（ｄ）は（ａ）のＢ−Ｂ線における断面図、（ｅ）は（ｂ）のＣ−Ｃ線における断面図である。
【図３】爪楊枝保持具の使用例を説明するための図である。
【図４】爪楊枝保持具の別の例を説明するための図である。
【図５】第２の実施の形態に係る爪楊枝保持具の外観を示す斜視図である。
【図６】（ａ）は第２の実施の形態に係る爪楊枝保持具の正面図、（ｂ）はその側面図、（ｃ）は（ａ）のＡ−Ａ線における断面図、（ｄ）は（ａ）のＢ−Ｂ線における断面図、（ｅ）は（ｂ）のＣ−Ｃ線における断面図である。を示す図である。
【図７】第２の実施の形態に係る爪楊枝保持具の外観を示す斜視図である。
【図８】（ａ）は第３の実施の形態に係る爪楊枝保持具の正面図、（ｂ）はその側面図、（ｃ）は（ａ）のＡ−Ａ線における断面図、（ｄ）は（ａ）のＢ−Ｂ線における断面図、（ｅ）は（ｂ）のＣ−Ｃ線における断面図である。を示す図である。
【図９】爪楊枝保持具の変形例を示す図である。
【図１０】爪楊枝保持具の別の変形例を示す図である。
【発明を実施するための形態】
【００１６】
以下、本発明に係る爪楊枝保持具について図を参照しながら説明する。
【００１７】
図１は、爪楊枝保持具の外観を示す斜視図である。図２（ａ）は爪楊枝保持具の正面図、図２（ｂ）は側面図、図２（ｃ）は図２（ａ）のＡ−Ａ線における断面図、図２（ｄ）は図２（ａ）のＢ−Ｂ線における断面図、図２（ｅ）は図２（ｂ）のＣ−Ｃ線における断面図である。
【００１８】
図に示すように、爪楊枝保持具は、本体１０と、爪楊枝を挿入するための貫通孔１１と、本体１０を表裏方向に貫通する第２貫通孔１２とを備えている。
【００１９】
本体１０は、ゴム硬度５０〜７０の合成樹脂で形成されており、たこ焼きを食す際に親指と人差し指とで把持しやすいように扁平形状となっている。
【００２０】
貫通孔１１は、爪楊枝を挿入することができる大きさの径を有する孔であり、本体１０を上下方向に貫通するように形成される。貫通孔１１は、２つの孔が平行になるように設けられている。ここで、孔同士の間隔は、貫通孔１１に挿入される爪楊枝をたこ焼きに突き刺してたこ焼きを確実に保持するために、５ｍｍ程度とするのが好ましい。
【００２１】
第２貫通孔１２は、例えば爪楊枝保持具を持ち運ぶ際の利便性のために、紐等を通すことができるように形成した孔であり、本体１０の表裏方向に貫通して設けられる。
【００２２】
このように構成される爪楊枝保持具は、図３（ａ）に示すように、貫通孔１１に爪楊枝１００を挿入して使用する。爪楊枝１００が挿入された爪楊枝保持具は、図３（ｂ）に示すように、本体１０の上部を親指と人差し指とで把持され、爪楊枝１００をたこ焼き１０１に突き刺して食べることを可能にしている。また、爪楊枝保持具は、図３（ｃ）に示すように、貫通孔１１に竹串１０２などの長い串を挿入することもできるから、たこ焼きを食べるときだけでなく、たこ焼きを焼くときの保持具としても利用することができる。
【００２３】
このように爪楊枝保持具は、本体１０に２つの平行する貫通孔１１が設けられ、ここに爪楊枝が挿入されることにより、２本の爪楊枝で球形のたこ焼きを確実に保持したまま口に運ぶことを可能にする。また、爪楊枝を挿入した状態でテーブル等に爪楊枝保持具を置いても本体部分の厚みの分だけ爪楊枝が持ち上げられることになるので、口に入れる爪楊枝の先端部分がテーブル等に触れることがないので衛生的でもある。そして、本体１０がゴム硬度５０〜７０の適度な硬さの合成樹脂で形成されているから、親指と人差し指とで強く把持してもたこ焼きを食べる際に貫通孔１１へ挿入した爪楊枝が折れにくくなる。さらに、貫通孔１１が本体１０を上下方向に貫通しているので、挿入した爪楊枝の端部が仮に折れたとしても新しい爪楊枝で押し出すことにより、本体１０内に残った端部を取り除くことができ、再利用することが可能である。また、貫通孔に食べ物等が詰まった場合でも洗い流して清潔に保つこともできる。
【００２４】
なお、貫通孔については２つの孔が平行に設けられるのが好ましいが、図４（ａ）に示すように、本体１０ａにテーパー状の広がりを有する貫通孔１１ａを設けるとしてもよいし、図４（ｂ）に示すように、本体１０ｂに３つの貫通孔１１ｂを設けるとしてもよい。
【００２５】
次に、第２の実施の形態として別の爪楊枝保持具について説明する。
【００２６】
図５は、第２の実施の形態に係る爪楊枝保持具の外観を示す斜視図である。図６（ａ）はその爪楊枝保持具の正面図、図６（ｂ）は側面図、図６（ｃ）は図６（ａ）のＡ−Ａ線における断面図、図６（ｄ）は図６（ａ）のＢ−Ｂ線における断面図、図６（ｅ）は図６（ｂ）のＣ−Ｃ線における断面図である。
【００２７】
この爪楊枝保持具は、本体２０と、貫通孔２１と、第２貫通孔２２とを備えている点において、上述した第１の実施の形態に係る爪楊枝保持具と共通するが、クリップ部２３を備えている点において異なる。以下、この異なる点について説明する。
【００２８】
クリップ部２３は、本体２０と同じ材質の合成樹脂で構成され、本体２０の中央下部から下方へ突出して形成され、たこ焼き用の容器の縁を挟持して容器に爪楊枝保持具を添付できるようになっている。また、クリップ部２３は、へらのように用いることにより、たこ焼きを食べた後で歯の表面に付着した青のり等の食べかすを取り除く口内清掃部材としても使用することができる。このとき、本体２０の裏面側に小さな鏡を取り付けて口内清掃後の確認をすることができるようにしてもよい。なお、本体２０の裏面側は鏡を取り付ける以外にも、例えば、たこ焼きを提供する飲食店名を付す広告表示部として用いることも可能である。さらに、クリップ部２３を構成する合成樹脂として、温度によって色が変化する合成樹脂を採用するとしてもよい。これによれば、クリップ部２３をたこ焼きに突き刺すことにより、たこ焼き内部の温度を食べる前にある程度知ることができるので、口腔内のやけどを予防することが可能となる。
【００２９】
このように構成される爪楊枝保持具は、クリップ部２３を備えることにより、爪楊枝保持具をたこ焼き用の容器に取り付けて提供することが可能となるだけでなく、爪楊枝保持具そのものを食後の清掃具としても利用可能となるので、たこ焼きの提供時並びに食後においても利便性に優れた爪楊枝保持具となる。
【００３０】
続いて、第３の実施の形態としてさらに別の爪楊枝保持具について説明する。
【００３１】
図７は、第３の実施の形態に係る爪楊枝保持具の外観を示す斜視図である。図８（ａ）はその爪楊枝保持具の正面図、図８（ｂ）は側面図、図８（ｃ）は図８（ａ）のＡ−Ａ線における断面図、図８（ｄ）は図８（ａ）のＢ−Ｂ線における断面図、図８（ｅ）は図８（ｂ）のＣ−Ｃ線における断面図である。
【００３２】
この爪楊枝保持具は、本体３０と、貫通孔３１とを備えている点において、上述した第１の実施の形態に係る爪楊枝保持具と共通するが、噴出口３２と、本体３０内部に空洞部３３とを備えている点において異なる。以下、この異なる点について説明する。
【００３３】
噴出口３２は、本体３０の下部に設けられる穴であり、穴の先は空洞部３３に繋がっている。
【００３４】
空洞部３３は、本体３０の内部に設けられた空間であり、ここに調味料（例えば、ソース）等を充填することが可能になっている。空洞部３３を設けることで本体３０の上部は盛り上がった形状となる。この本体３０の上部を強く押すことにより、空洞部３３に充填されたソースは噴出口３２から出てくる。
【００３５】
このように構成される爪楊枝保持具は、本体内部に空洞部３３と噴出口３２とを備えることにより、別の調味料容器を不要にすることができる。また、図に示すように噴出口３２をタコの口に見立てることで、あたかもタコが墨（ソース）を吐いているかのように演出することができ、趣向に富んだ爪楊枝保持具を実現することができる。なお、これまでに図示した爪楊枝保持具の本体下部の左右に設けられている６つの突起も、挿入される２本の爪楊枝を足して８本足となるように趣向を凝らしたものである。
【００３６】
以上、本発明に係る爪楊枝保持具について、実施の形態に基づいて説明したが本発明はこれに限定されるものではなく、本発明の目的を達成でき、かつ発明の要旨を逸脱しない範囲内で種々設計変更が可能であり、それらも全て本発明の範囲内に包含されるものである。
【００３７】
例えば、図９に示すように、本体４０をヒンジのように折り畳む形にして、折り畳んだ時に貫通孔となる凹部４１を設けて、係合部４２で折畳み状態を固定する爪楊枝保持具としてもよい。
【００３８】
また、本体の形状も図示したものに限られるわけではなく、例えば、図１０に示すように本体５０を三角柱形状にして貫通孔５１を設ける爪楊枝保持具としても差し支えない。
【産業上の利用可能性】
【００３９】
本発明に係る爪楊枝保持具は、爪楊枝を使用して食べ物を食べる際の補助具に適しており、特にたこ焼きを食べる際の爪楊枝保持具として好適であり、たこ焼きを提供する飲食店等の販促品等として最適である。
【符号の説明】
【００４０】
１０、２０、３０、４０、５０    本体
１１、２１、３１、５１    貫通孔
１２、２２    第２貫通孔
２３    クリップ部
３２    噴出口
３３    空洞部
４１    凹部
１００  爪楊枝
１０１  たこ焼き
１０２  竹串
【図１】
2011030765.tif 000003
【図２】
2011030765.tif 000004
【図３】
2011030765.tif 000005
【図４】
2011030765.tif 000006
【図５】
2011030765.tif 000007
【図６】
2011030765.tif 000008
【図７】
2011030765.tif 000009
【図８】
2011030765.tif 000010
【図９】
2011030765.tif 000011
【図１０】
2011030765.tif 000012